(57)【特許請求の範囲】
【請求項１】
背もたれを、強度メンバーとしてのバックフレームとその前側に重ね配置されたフロント部材とを有する構成としており、前記フロント部材の少なくとも一部が押さえ部材によってバックフレームから離脱不能に保持されている構成であって、
前記フロント部材は前後に開口した枠状の形態であって、このフロント部材に、可撓性シート材が、手前から後ろ側に巻き込まれた状態に取り付けられている一方、
前記押さえ部材は前記バックフレームにビスで固定されており、前記押さえ部材に、  前記可撓性シート材を介してフロント部材に当接する樹脂製の緩衝材を設けている、
椅子。
【請求項２】
前記押さえ部材はフロント部材の一部を手前から押さえており、前記フロント部材のうち押さえ部材で押さえ保持されている部分を除いた部分は、係合手段によって前記バックフレームから離脱不能に保持されている、
請求項１に記載した椅子。
【請求項３】
前記フロント部材の下部が前記押さえ部材でバックフレームに離脱不能に保持されており、前記押さえ部材の全部又は大部分が座面よりも下方に配置されている、
請求項１又は２に記載した椅子。
【請求項４】
前記バックフレームはベースに後傾動可能に取り付けられていて、前記バックフレームは、レバー操作によって作動するロック体を備えたロック装置により、後傾動自在なフリー状態と後傾動不能なロック状態とに切り替えられるようになっている一方、
前記押さえ部材は前記バックフレームの下部に固定されており、
前記ベースに、前記ロック体が、前記押さえ部材の前進動を阻止して前記背もたれをロック状態に保持するロック姿勢と、押さえ部材の前進動を許容して前記背もたれをフリー状態に保持するフリー姿勢とに切り替え自在となるように配置されている、            請求項１〜３のうちのいずれかに記載した椅子。
【発明の詳細な説明】
【技術分野】
【０００１】
本願発明は、主として背もたれの構造に特徴を有する椅子に関するものである。
【背景技術】
【０００２】
椅子の背もたれは様々な構造になっているが、オフィス用の椅子の場合は、一般に、クッションタイプとメッシュタイプとに大別される。クッションタイプでは、強度メンバーとしてのバックフレームの前面に樹脂製の背インナーシェル（背板）を配置して、背インナーシェルの前面にクッションを張っており、メッシュタイプでは、前後に開口した枠状のバックフレームにメッシュ材が張られている。
【０００３】
メッシュタイプにおいて、バックフレームにメッシュ材を取り付ける方法の一つとして、可撓性シート材の周縁にテープ状の縁部材を縫着等で固定しておいて、この縁部材をフレーム材の外周に形成した溝条（長溝）に嵌め込むことが行われている。
【０００４】
しかし、このようにフレーム材の外周に縁部材を嵌め込む構成では、可撓性シート材の半周程度は溝条に容易に嵌め込みできるが、可撓性シート材の取り付けが進むに従って可撓性シート材を弾性に抗して引き伸ばす力が強くなるため、最後の部分を嵌め込むには可撓性シート材を強引に引き伸ばさねばならず、このため、可撓性シート材の取り付け作業が非常に面倒であった。
【０００５】
そこで本願出願人は、特許文献１において、可撓性シート材（メッシュ材）の外周の一部を回動式で剛体構造の第２縁部材に取り付けて、まず、可撓性シート材の外周のうち第２縁部材を除いた部分に固定した第１縁部材をフレーム材に取り付け、次いで、第２縁部材を回動させて所定の姿勢にすることで、可撓性シート材をピンと張った状態に保持し得る椅子を開示した。
【先行技術文献】
【特許文献】
【０００６】
【特許文献１】特開２０１３−２４４２５３号公報
【発明の概要】
【発明が解決しようとする課題】
【０００７】
特許文献１によると、第２縁部材を可撓性シート材の表面側に回動させた状態では、可撓性シート材は弛んだ状態になっているため、フレーム材への第１縁部材の取り付を簡単に行うことができ、しかも、第２縁部材の回動操作はテコの原理を利用して軽い力で行える。このため、可撓性シート材の取り付けを簡単に行うことができる。また、可撓性シート材に強い張力（テンション）を掛けることも容易に行えるため、椅子の品質も向上できる。
【０００８】
さて、特許文献１の実施形態では、第１縁部材及び第２縁部材は係合爪のような係合手段によってバックフレームに取り付けており、この係合手段を採用すると、取り付けは容易であるが、例えば可撓性シート材の交換に際して縁部材の取り外しが面倒になる場合も有り得る。
【０００９】
縁部材はフロント部材と云えるが、本願発明は、フロント部材の取り付け・取り外しに関する改良の提供を主たる目的としている。
【００１０】
他方、ロッキング椅子では、背もたれを後傾自由なフリー状態と後傾不能なロック状態とに切り替えるロック装置を設けることが多く、この場合、ロックレバーで操作される回動式等のロック体をベースに備えたロッキング椅子の場合、ロック体をバックフレームのどこかの部位に当てることによって背もたれをロック状態に保持しているが、バックフレームの構造によっては、ロック体を当てる部位を確保しにくくなったり、設計が面倒になったりするおそれもある。
【００１１】
本願発明は、ロック装置の改善も一つの目的としている。
【課題を解決するための手段】
【００１２】
本願発明は各請求項の構成を含んでいる。このうち請求項１の発明に係る椅子は、
「背もたれを、強度メンバーとしてのバックフレームとその前側に重ね配置されたフロント部材とを有する構成としており、前記フロント部材の少なくとも一部が押さえ部材によってバックフレームから離脱不能に保持されている」
という基本構成において、
「前記フロント部材は前後に開口した枠状の形態であって、このフロント部材に、可撓性シート材が、手前から後ろ側に巻き込まれた状態に取り付けられている一方、前記押さえ部材は前記バックフレームにビスで固定されており、前記押さえ部材に、  前記可撓性シート材を介してフロント部材に当接する樹脂製の緩衝材を設けている」
という特徴を有している。
【００１３】
請求項２の発明は、請求項１において、前記押さえ部材はフロント部材の一部を手前から押さえており、前記フロント部材のうち押さえ部材で押さえ保持されている部分を除いた部分は、係合手段によって前記バックフレームから離脱不能に保持されている。
【００１４】
なお、ここでいう「押さえ部材で押さえ保持されている部分」とは、押さえ部材が当たっている部分という意味ではなく、押さえ部材による押さえ機能が及んでいる部分という意味である。従って、押さえ部材が当たっている部分の近傍部が含まれる場合もある。
【００１５】
請求項３の発明は、請求項１又は２において、前記フロント部材の下部が前記押さえ部材でバックフレームに離脱不能に保持されており、前記押さえ部材の全部又は大部分が座面よりも下方に配置されている。
【００１７】
請求項４の発明は、請求項１〜３のうちのいずれかにおいて、
「前記バックフレームはベースに後傾動可能に取り付けられていて、前記バックフレームは、レバー操作によって作動するロック体を備えたロック装置により、後傾動自在なフリー状態と後傾動不能なロック状態とに切り替えられるようになっている一方、
前記押さえ部材は前記バックフレームの下部に固定されており、
前記ベースに、前記ロック体が、前記押さえ部材の前進動を阻止して前記背もたれをロック状態に保持するロック姿勢と、押さえ部材の前進動を許容して前記背もたれをフリー状態に保持するフリー姿勢とに切り替え自在となるように配置されている」
という構成になっている。
【発明の効果】
【００１８】
本願発明によると、フロント部材のうち少なくとも一部が押さえ部材によってバックフレームから離脱不能に保持されるため、押さえ部材を取り付けていない状態では、フロント部材をバックフレームに対して簡単に着脱できる構成にしつつ、椅子としての使用状態では、フロント部材をバックフレームに取り付けた状態に保持できる。従って、椅子としての機能を損なうことなく、フロント部材の取り付け・取り外しや交換を容易に行える。
【００１９】
フロント部材は、押さえ部材の押さえ機能のみでバックフレームから離脱しない状態に保持することも可能であるが、この場合は押さえ部材が大型化して、押さえ部材の取り付けにも手間がかかるおそれがある。
【００２０】
これ対して請求項２の構成を採用すると、フロント部材を、例えば係合爪と係合穴や係合爪同士のような係合手段によってバックフレームに前向き離反不能に保持される部分と、押さえ部材の押さえ機能で前向き離反不能に保持される部分とに構成することにより、押さえ部材でフロント部材の一部を押さえるだけで、フロント部材の全体をバックフレームから離脱不能に保持することができる。そして、係合手段は、例えばフロント部材を上下方向に移動させることで簡単に嵌脱する構成にしておけばよいため、フロント部材の着脱はごく簡単に行える。
【００２１】
請求項３の構成を採用すると、押さえ部材は人目に触れない（又は触れにくい）ため、体裁がよい。
【００２２】
また、本願発明では、押さえ部材に緩衝材を設けているため、押さえ部材を金属製にした場合であっても、可撓性シート材の磨耗を抑制できる利点がある。
【００２３】
請求項４の構成を採用すると、フロント部材を押さえるための押さえ部材が背もたれの傾動を制御するロック装置のストッパーに利用されるため、バックフレームの設計の自由性を向上できる。この場合、押さえ部材を椅子の左右中間部に配置すると、ロック状態で着座者が背もたれにもたれかかったときにバックフレームにねじれ力が作用することを防止できるため、好適である。
【図面の簡単な説明】
【００２４】
【図１】（Ａ）は実施形態に係る椅子の外観を示す斜視図、（Ｂ）は可撓性シート材と座クッションとを省略した状態での斜視図である。
【図２】（Ａ）は背もたれの枠組みを示す斜視図、（Ｂ）は椅子の側面図である。
【図３】（Ａ）は椅子の主要部材の分離斜視図、（Ｂ）は背部と押さえ部材との分離斜視図、（Ｃ）は押さえ部材を下方から見た斜視図である。
【図４】バックフレームと可撓性シート材との分離斜視図であり、（Ａ）は屈曲部を使用姿勢にした状態の図、（Ｂ）は屈曲部を手前に回動させた状態の図である。
【図５】（Ａ）はバックフレームと可撓性シート材との分離斜視図、（Ｂ）はバックフレームの部分的な斜視図である。
【図６】可撓性シート材を示す図で、（Ａ）は裏側から見た斜視図、（Ｂ）は屈曲部を外した状態での斜視図である。
【図７】可撓性シート材の背面図である。
【図８】（Ａ）は可撓性シート材とバックフレームとの分離側面図、（Ｂ）は屈曲部を回動させた状態での可撓性シート材の斜視図である。
【図９】（Ａ）は図７のIXA-IXA 視方向から見た背もたれの断面図、（Ｂ）は図６（Ａ）のIXB-IXB 視方向から見た背もたれの平断面図である。
【図１０】背もたれの下部の中央部の縦断側面図である。
【図１１】（Ａ）はバックフレームを後ろから見た斜視図、（Ｂ）は上カバーを外した状態でのバックフレームの部分斜視図、（Ｂ）は上カバーの斜視図である。
【図１２】椅子の主要部材の分離斜視図である。
【図１３】（Ａ）はロック状態でのベースの斜視図、（Ｂ）はフリー状態でのベースの斜視図である。
【図１４】（Ａ）はベースを下方から見た分離斜視図、（Ｂ）はレバーとロック体との関係を示す分離斜視図である。
【図１５】（Ａ）はロック体の操作構造を示す分離斜視図、（Ｂ）はロック状態での要部の斜視図である。
【図１６】緩衝材が取付けられた形態を示す図で、（Ａ）は全体の斜視図、（Ｂ）は押さえ部材と下部材との関係を示す斜視図である。
【図１７】（Ａ）（Ｂ）とも要部の分離斜視図である。
【図１８】（Ａ）は要部の縦断側面図、（Ｂ）は押さえ部材とバックフレームとの分離斜視図である。
【発明を実施するための形態】
【００２５】
次に、本願発明の実施形態を図面に基づいて説明する。図１〜１５では基本形態を示し、図１６〜１８では緩衝材が付加された形態を示している。図１〜１５の形態は、図１６〜１８の形態の前提になるので、図１〜１５の形態も実施形態として説明する。
本願では、方向を特定するため前後や左右の文言を使用するが、これらの文言は、椅子に普通に腰掛けた人が向いた状態を基準にしている。正面視は、椅子に腰掛けた人と対向した方向から見た状態である。
【００２６】
(1).椅子の概要
まず、図１〜４に基づいて概要を説明する。本実施形態の椅子は、事務用に広く使用されている回転椅子であり、椅子は、ガスシリンダとしての脚支柱を有する脚装置１と、脚装置１で支持されたベース２と、ベース２の上に配置した座３と、着座者がもたれ掛かり得る背もたれ４とを備えている。ベース２は板金製であり、図３（Ａ）のとおり、上向きに開口した箱状の形態を成している。
【００２７】
図１から理解できるように、座３は、樹脂製の座インナーシェル５の上面に座クッション６を張った構造であり、座インナーシェル５は、その後部が下向きに回動するように後ろより部位にヒンジ部５ａを形成している。すなわち、座インナーシェル５のうちヒンジ部５ａよりも手前の部分はベース２に前後スライド自在に装着されており、また、ヒンジ部５ａよりも手前の部分には、図２に示す座アウターシェル７が下方から取り付けられている。
【００２８】
図４に明示するように、背もたれ４は、前後に開口した枠状のフロント部材８と、これを後ろから支えるバックフレーム９とを備えており、フロント部材８に、メッシュ材等の可撓性シート材１０が張られている。バックフレーム９が椅子としての強度を保持する強度メンバーになっていて、これにフロント部材８が取り付けられている。着座者の体圧はまず可撓性シート材１０にかかり、これがバックフレーム９で支持される。
【００２９】
なお、フロント部材８は、シートフレームやインナーフレーム、フロントフレームと呼ぶことも可能であり、他方、バックフレーム９も、アウターフレーム又はリアフレームと呼ぶことが可能である。
【００３０】
例えば図４に示すように、フロント部材８及びバックフレーム９は、それぞれ、上下長手のサイドメンバー８ａ，９ａとその上端に繋がったアッパメンバー８ｂ，９ｂ、及び、左右サイドメンバー８ａ，９ａの下端に繋がったロアメンバー８ｃ，９ｃを有しており、正面視でやや上窄まりの台形状（略四角形）の形状になっている。フロント部材８及びバックフレーム９とも樹脂の成形品を採用しているが、アルミダイキャスト品や板金加工品を採用することも可能である。
【００３１】
バックフレーム９のロアメンバー９ｃには、手前に向けて延びる左右一対のアーム部１１が一体に形成されており、左右アーム部１１の前端に挿通した左右横長のピン（図示せず）が、ベース２に形成した前後長手の長穴に嵌まっており、かつ、前記ピンが挿通しているスライダーに、座インナーシェル５のうちヒンジ部５ａの少し手前の部位が固定されている。そして、バックフレーム９は、後傾しつつアーム部１１が手前に移動するようにベース２でガイドされる。ロッキング機構の詳細は後述する。
【００３２】
また、座インナーシェル５の後端部は、バックフレーム９のロアメンバー９ｃに連結されている。従って、背もたれ４が後傾すると、座３は前進しつつその後部が下向きに屈曲する。背もたれ４の後傾動及び座３の前進動は、ベース２に内蔵したばねに抗して行われる。バックフレーム９のロアメンバー９ｃ及びアーム部１１には、多数の補強リブを形成している。
【００３３】
(2).背もたれの詳細
次に、図５〜１１も参照して背もたれ４の詳細を説明する。バックフレーム９の各メンバー９ａ〜９ｃは、基本的には前向きに開口してチャンネル構造（溝形構造）になっており、フロント部材８は、バックフレーム９の溝を塞ぐような状態で配置されている。
【００３４】
具体的には、図９に示すように、バックフレーム９のアッパメンバー９ｂとサイドメンバー９ａとは、後ろ向き凸の山形形状を成しており、図１０に示すように、バックフレーム９のロアメンバー９ｃは略コ字形の断面形状を成している。バックフレーム９のロアメンバー８ｃ，９ｃは他のメンバーよりも幅（上下幅）が大きいが、これは、大きな荷重が掛かるためである。
【００３５】
図３や図１０に示すように、バックフレーム９のロアメンバー９ｃには、左右横長で金属製の押さえ部材１２が４本のビス（図示せず）で固定されている。押さえ部材１２のビス挿通穴を図２，３に符号１２ａで示している。図３では、バックフレーム９に設けた雌ねじ穴を符号１２ｂで示している。なお、図では４本のビスで締結する状態を示しているが、上下いずれかの穴を位置決め穴として、これを、バックフレーム９のアーム部１１に設けた位置決めボスに嵌め込むことにより、押さえ部材１２を正確に位置決めするのが好ましい。
【００３６】
押さえ部材１２は、フロント部材８のロアメンバー８ｃを手前から押さえる働きと、背もたれ４をロック状態に保持するストッパーの働きとをしている。図３（Ｂ）（Ｃ）及び図１０に示すように、押さえ部材１２の左右両端部には、フロント部材８のロアメンバー８ｃに手前と上から当接する突起片１４を設けている。従って、フロント部材８は上向き動不能に保持される。背もたれ４のロッキング椅子をロックする機能は、図１０に示すように、ロック体３３に後ろから当接することで果たされているが、この点は背もたれ４の説明を終えてから説明する。
【００３７】
例えば図５から理解できるように、フロント部材８の各メンバーは、基本的には板状の構造であり、アッパメンバー８ｂの左右中間部のみに、厚肉で下方に突出したセンター突起１３を設けている。また、図７、図９（Ｂ）、図１０に示すように、可撓性シート材１０の周縁には樹脂シート等の縁部材１５が縫着等の手段で固定されており、縁部材１５は、フロント部材８の外周の外側から後ろ側に巻き込まれて、フロント部材８の裏面に重なっている。従って、ロアメンバー８ｃの箇所では、可撓性シート材１０は手前から下方に曲がって後ろに巻き込まれている。
【００３８】
図１１（Ａ）（Ｂ）に示すように、バックフレーム９におけるアッパメンバー９ｂの後面は、手前側及び下方に抉られたような段部１６になっており、この段部１６の左右中間部に、ハンガー等を取り付けできるホルダー部１７が一体に形成されている。ハンガー等を取り付けない場合は、ホルダー部１７は上カバー１８で後ろ及び下方から覆われている。
【００３９】
また、図９（Ａ）に示すように、フロント部材８のセンター突起１３は、段部１６に対して上から貫通している。このため、段部１６には、センター突起１３が嵌まる位置決め穴１９が空いている。このため、フロント部材８のアッパメンバー８ｂは、バックフレーム９のアッパメンバー９ｂによって前後ずれ不能に保持されている。
【００４０】
更に、上カバー１８には、フロント部材８のセンター突起１３に後ろから嵌まる爪２０を設けている。このため、フロント部材８は上カバー１８によっても、上向きずれ不能に保持されている。なお、センター突起１３は位置決め突起と呼ぶことも可能であり、左右中間部のみでなく、他の部位に設けてもよい。個数も任意に設定できる。
【００４１】
例えば図７に示すように、縁部材１５は、フロント部材８の裏面に飛び飛びで突設したストッパー突起２１に嵌め込まれている。従って、縁部材１５には、ストッパー突起２１に嵌まる係合穴２２の群が形成されている。
【００４２】
なお、縁部材１５はシート状である必要はないのであり、例えば金属線材を使用することも可能である。或いは、可撓性シート材１０の固定手段としては、可撓性シート材１０の周縁部をフロント部材８にタッカーで止めるなど、様々の方法を採用できる。タッカーで止める場合、可撓性シート材１０を直接に押さえてもよいし、押さえ板を介して固定してもよい。
【００４３】
フロント部材８をバックフレーム９に取り付ける手段として、本実施形態では、図５，６、９（Ｂ）等に示すように、フロント部材８のサイドメンバー８ａに下向き鉤状の係止爪２３を設ける一方、バックフレーム９のサイドメンバー９ａには上下に開口したキャッチ部２４を設けて、係合爪２３をキャッチ部２４に嵌め込んでいる。キャッチ部２４はサイドメンバー９ａの溝を埋めるような状態で形成されているため、サイドメンバー９ａの補強リブとしての役割も果たしている。
【００４４】
フロント部材８におけるサイドメンバー８ａのうち、上下に隣り合った係合爪２３の間の部位には、細幅の位置決めリブ２３′を後ろ向きに突設している一方、バックフレーム９の左右サイドメンバー９ａには、位置決めリブ２３′が挟み込まれる位置決め溝部２４′を形成している。ストッパー突起２１は、係合爪２３と位置決めリブ２３′との間に配置されている。敢えて述べるまでもないが、縁部材１５は、係合爪２３や位置決めリブ２３′に当たらないように形成されている（係合爪２３や位置決めリブ２３′は、縁部材１５に設けた穴から露出させてもよい。）。
【００４５】
図９（Ｂ）のとおり、バックフレーム９のサイドメンバー９ａは手前に向けて広がるＶ形になっているので、フロント部材８のサイドメンバー８ａを嵌め込むと、係合爪２３は、バックフレーム９の溝の奥に向かうように自動的にガイドされる。従って、フロント部材８のサイドメンバー８ａをバックフレーム９のサイドメンバー９ａに重ねてから下方にずらすと、係合爪２３がキャッチ部２４にスムースに誘い込まれる。このため、フロント部材８の取り付けをワンタッチ的に簡単かつ正確に行うことができる。
【００４６】
図８（Ａ）に明示すように、バックフレーム９とフロント部材８とは、着座者の腰部のあたりの高さが最も手前に位置するように、側面視で前向きに突の形態に屈曲しており、これにより、可撓性シート材１０に、着座者の腰部（特に第３腰椎のあたり）を後ろから支えるランバーサポート部が形成されている。ランバーサポート部は可撓性シート材１０に形成されるが、便宜的に、フロント部材８及びバックフレーム９の前向き突出部もランバーサポート部と呼んで、符号２５，２６を付している。
【００４７】
フロント部材８及びバックフレーム９は、アッパメンバー８ｂ，９ｂ及びロアメンバー８ｃ，９ｃとも平面視で前向き凹状に湾曲している。このため、可撓性シート材１０も全高さにわたって平面視前向き凹状に湾曲している。
【００４８】
例えば図６〜８に示すように、フロント部材８は、ランバーサポート部２５の頂点よりもやや上側の部位で上下に分断されており、ロアメンバー８ｃの全体と左右サイドメンバー８ａの下端部とが、下部材２７ａになっている。従って、下部材２７ａより上の部分は上部材２７ｂになる。フロント部材８は、サイドメンバー８ａとアッパメンバー８ｂとロアメンバー８ｃとで構成されていると共に、上部材２７ｂと下部材２７ａとによっても構成されている。
【００４９】
下部材２７ａの左右両端に、前向きに開口した軸受け爪２８を上向きに突設している一方、上部材２７ｂにおける左右サイドメンバー８ａの下端には、左右の後ろ向きリブ２９を介して左右横長の支軸３０を設けており、軸受け爪２８を支軸３０に後ろから嵌め込んでいる。従って、下部材２７ａの回動支点（或いは連結部）は、ランバーサポート部２５よりも少し上に位置している。
【００５０】
図６（Ａ）に示すように、軸受け爪２８の後面は側面視で半円状の形態を成している一方、図５に示すように、バックフレーム９のサイドメンバー９ａには、軸受け爪２８が入り込む凹所３１を形成しており、このため、軸受け爪２８は支軸３０から抜け不能に保持されている。また、軸受け爪２８は、凹所３１の内部において、支軸３０を中心にして回転させ得る。
【００５１】
(3).背もたれのまとめ
フロント部材８への可撓性シート材１０の取り付けは、既述のとおり、縁部材１５を嵌め込むことで行われるが、下部材２７ａを屈曲させた状態では可撓性シート材１０を弛ませることができるため、フロント部材８への可撓性シート材１０の取り付けをごく簡単に行える（可撓性シート材１０は、人手や治具で張った状態に保持していなくても、フロント部材８に取り付けることができる。）。
【００５２】
そして、バックフレーム９へのフロント部材８の取り付けは、フロント部材８の下部材２７ａを手前に回動させた（屈曲させた）姿勢で、まず上部材２７ｂをバックフレーム９に取り付け、次いで、下部材２７ａを下向きに回動させて所定に姿勢に戻す、という手順で行われる。
【００５３】
そして、下部材２７ａを手前に回動させた状態では可撓性シート材１０は弛んでいるため、上部材２７ａは可撓性シート材１０による引っ張り作用を受けることなく、バックフレーム９に簡単かつ正確に取り付けることができる。そして、フロント部材８の上部材２７ｂをバックフレーム９に取り付けてから、下部材２７ａを、椅子として使用する基準姿勢に戻し回動させると、可撓性シート材１０はピンと張って、着座者を的確に支持できる。下部材２７ａの回動操作は、てこの原理を利用して軽い力で簡単に行える。
【００５４】
下部材２７ａを回動させてバックフレーム９に重ねてから、押さえ部材１２をビスでバックフレーム９のロアメンバー９ｃに固定する。すると、下部材２７ａは手前側に回動不能な状態に保持されると共に、フロント部材８は全体として上向き動不能に保持される。図１（Ｂ）から理解できるように、押さえ部材１２は座２の下方に隠れていて視認できないので、押さえ部材１２を設けたことで美感が悪化することはない。
【００５５】
押さえ部材１２の取り付けは、座３を取り外した状態で行われる。従って、椅子の組み立てに際しては、まず背もたれ４を組み付けて完成させ、それから押さえ部材１２の取り付け、座３の取り付けという手順を踏むことになる。
【００５６】
なお、下部材２７ａの回動支点はランバーサポート部２５の頂点の近くに位置しているので、下部材２７ａを基準姿勢に戻すと、いわゆる支点越えにより、可撓性シート材１０の弾性力は下部材２７ａを基準姿勢に保持するように作用する。また、着座者の体圧も、下部材２７ａを基準姿勢に保持するように作用する。
【００５７】
従って、押さえ部材１２を取り付けるに際して、一々手で下部材２７を押さえ保持しておく必要はないが、実施形態では、下部材２７ａ又はロアメンバー９ｃに、下部材２７ａをバックフレーム９のロアメンバー９ｃに重ねると軽く弾性変形して重ね状態を保持する係合爪のような係合手段（図示せず）を設けている。これにより、下部材２７ａはバックフレーム９に重なった状態に仮保持されるため、押さえ部材１２を固定する作業を安全に行える利点がある。
【００５８】
(4).ロック装置
次に、背もたれ４を後傾自在なフリー状態と後傾不能なロック状態とに切り替えるロック装置を、主として図１２〜１５を参照して説明する。まず、ロック装置の前提になるロッキング機構から説明する。既に述べたが、ベース２は上向きに開口した箱状の形態を成しており、その形態は図１２，１３に示されている。ベース２は前後に長い形態であり、その後端に、ベース２の左右外側に突出したガイド軸３４を設けている。
【００５９】
ベース２の後部はバックフレーム９における左右アーム部１１の間に位置しており、バックフレーム９におけるアーム部１１の内側面に、ガイド軸３４に嵌まるガイド溝穴３４′（図１０参照）を形成している。ガイド溝穴はおおよそ前後方向に長くて、側面視では、後ろに行くほど高さが高くなるように弓形に傾斜している。従って、ロッキングに際しては、背もたれ４は、後傾しつつ全体的に下降し、かつ、アーム部１１は前進する。アーム部１１が前進することにより、背もたれ４の上部の後退量をあまり大きくしなくても、大きなロッキング角度を得ることができる。
【００６０】
図１２に示すように、バックフレーム９における左右アーム部１１の前端間には左右横長のスライド軸３５が挿通されており、スライド軸３５に後部ばね受け３６が連結されている。図示は省略するが、後部ばね受け３６は、座インナーシェル５のうち、ヒンジ部５ａ（図１（Ｂ）参照）より手前側の部位に取り付けられている。
【００６１】
また、図１２，１３のとおり、ベース２は左右の上フランジ２ａを有するが、上フランジ２ａは、座インナーシェル５に設けた抱持部にスライダー（いずれも図示せず）を介して抱持されており、このため、座３は、ベース２に前後スライド自在に装着されている。そして、背もたれ４が後傾すると、スライド軸３５と座３とは一緒に前進動して、その前進動は、ベース２に内蔵したばね（圧縮コイルばね）３７で弾性的に支持される。すなわち、ロッキングは、ばね３７に抗して行われる。ベース２の内部の前端部には、前部ばね受け３８を設けている。
【００６２】
図１４（図１０も参照）から理解できるように、ベース２の下面には補強ブラケット３９が溶接によって固定されており、脚支柱（ガススプリング）が嵌め込まれるブッシュ４０は、ベース２と補強ブラケット３９とで鉛直姿勢に保持されている。そして、補強ブラケット３９に、ベース２の下面に重なる後ろ向き張り出し部３９ａを設け、ベース２のうち後ろ向き張り出し部３９ａが重なっている部分に、軸受け部材４１をビス４２（図１５（Ｂ）参照）で固定している。
【００６３】
なお、図１４（Ｂ）及び図１５では、軸受け部材４１が補強ブラケット３９に重なるように表示しているが、実際には、両者の間にはベース２の底板が介在している（図１０参照）。図１５（Ｂ）に示すビス４２は、ベース２の底板に固定したナット（図示せず）にねじ込まれる。
【００６４】
軸受け部材４１は例えば樹脂製であり、その後部に、ロックレバー４３に設けたロック用ロッド４４の先端支持部４４ａが嵌まる下向き開口の軸受け溝４５を形成しており、ロック用ロッド４４の先端支軸部４４ａが、前後方向に長いロック体３３の前端部に挿通・固定されている。ロック体３３は樹脂製であるが、ダイキャスト品のような金属製であってもよい。
【００６５】
ロック体３３の前端部は、軸受け部材４１に上から嵌まっている。従って、軸受け部材４１の後部にはロック体３３の前部が上から嵌まる凹部４７が形成されており、凹部４７の左右両側に位置した側板に、軸受け溝４５が形成されている。図１０のとおり、ロック体３３の前端部は凹部４７で下向き動不能に保持されているので、ロック用ロッド４４の先端支軸部４４ａは上下動不能に保持されている。
【００６６】
図１５に明示するように、ロック用ロッド４４は、左右横長の先端支軸部４４ａ及びレバー取り付け部４４ｂと、これらを繋ぐ中間部４４ｃとから成っていて、全体的にはクランク状の形態を成しており、レバー取り付け部４４ｂに後ろ向きのロックレバー４３が取り付けられている。そして、図１４（Ａ）に示すように、ベース２の底板には、ロック用ロッド４４の中間部４４ｃを嵌め込む第１逃がし穴４８が形成されている。また、ベース２は樹脂製の下カバー４９が下方から覆われているが、下カバー４９には、ロック用ロッド４４のレバー取り付け部４４ｂが嵌まる第２逃がし穴５０を形成している。
【００６７】
図１０や図１３（Ａ）はロック状態を示しており、この状態では、ロック体３３の真後ろに押さえ部材１２が位置しているため、押さえ部材１２は手前に移動することができず、従って、背もたれ４は後傾不能なロック状態に保持されている。この状態では、ロック体３３の前端に設けた下向き鉤状の係合爪５１が、軸受け部材４１における凹部４７の前壁５２の上端に嵌合しており、これにより、ロック体３３はロック姿勢に保持されている。
【００６８】
押さえ部材１２の前端で左右中間部には、ロック体３３の後面と面接触させるためのリブ片１２ｃを下向きに曲げ形成している。リブ片１２ｃは、左右のブラケット片１２ｄで補強されている。
【００６９】
他方、ロックレバー４３を下側に倒し回動すると、係合爪５１を弾性に抗して変形させつつロック体３３が後傾してフリー姿勢に移行し、図１０に一点鎖線で示すと共に図１３（Ｂ）に示すように、ロック体３３が下に逃げて押さえ部材１２の前進が許容される。このため、背もたれ４は後傾自在なフリー状態になる。
【００７０】
図１０のとおり、ロック体３３がフリー姿勢になると、ロック体３３の前部下面が軸受け部材４１に設けたストッパー部５３に当接すると共に、係合爪５１が前壁５０に後ろから当接することにより、ロック体３３はフリー姿勢に保持される。
【００７１】
図１３（Ｂ）から理解できるように、軸受け部材４１には、昇降レバー５４が取り付いて昇降用ロッド５５も回動可能に保持されている。すなわち、昇降用ロッド５５は前後方向に長い支軸部を有しておリ、この支軸部が、軸受け部材４１とベース２とによって回転自在に保持されている。
【００７２】
実施形態では、ロック状態において着座者が背もたれ４にもたれ掛かったときの荷重は、ロック体３３に対して、その長手方向の圧縮力として作用する。従って、ロック体３３は樹脂製であっても高い支持強度を保持することができる。また、押さえ部材１２は金属製であってビスでバックフレーム９に固定されているため、押さえ部材１２の支持強度にも問題はない。更に、ロック体３３は椅子の左右中間部に位置しているため、ロック状態で着座者が背もたれ４にもたれ掛かっても、背もたれ４がねじり作用を受けることはなくて、バックフレーム９の耐久性に優れている。
【００７３】
(5).緩衝材
次に、緩衝材を備えた構造を、図１６〜１８を参照して説明する。この形態は、基本的には図１〜図１５の形態と共通しており、図１〜図１５の形態との相違点は、押さえ部材１２の形態のみである。従って、既述形態と共通した部分は同じ符号を付して説明は省略する。
【００７４】
この形態の押さえ部材１２は、既述の突起片１４は備えておらず、左右全長にわたってフロント部材８の下部材２７に当接し得るようになっているが、押さえ部材１２を下部材２７に直接当てるのではなく、樹脂製の緩衝材５６を介して当てている。
【００７５】
緩衝材５６は左右横長で手前に開口した形態であり、後端は、下部材２７の平面視形状に揃えた平面視形状になっている。また、後端には、下部材２７との接触面積をできるだけ大きくするために、上向きのリブ５６ａを設けている。他方、押さえ部材１２の後端には、緩衝材５６に嵌まり込むで凸部１２ｅを突設しており、図１８に示すように、緩衝材５６の内部に設けた係合爪４７を押さえ部材１２の係合穴５８に嵌め込むことにより、抜け不能に保持している。また、図１７のとおり、押さえ部材１２の凸部１２ｅに後ろ向き開口のスリット５９を複数本設ける一方、緩衝材５６には、スリット５９に嵌まるリブ（図示せず）を設けてることで、ガタ付きを防止している。
【００７６】
この形態では、下部材２７は、押さえ部材１２によって左右方向に広い範囲で支持されるため、下部材２７の特定部位に応力が集中することを防止して、耐久性を向上できる利点がある。また、緩衝材５６は樹脂製であるため、可撓性シート材１０に当たっても磨耗の問題はなくて、可撓性シート材１０の耐久性にも優れている。
【００７７】
(6).その他
本願発明は、他にも様々に具体化できる。
【００７８】
例えば、フロント部材は必ずしも屈曲式に構成する必要はないのであり、フロント部材を下向き動又は上向き動させることでバックフレームに係合させて、押さえ部材によって上下動不能に保持するといったことも可能である。押さえ部材のみでフロント部材を離脱不能に保持することも可能であるが、係合手段と併有するのが好ましいと云える。
【００７９】
バックフレームも前後に開口した形態である必然性はないのであり、カバー状（シェル構造）の形態であってもよい。また、バックフレームは単一構造である必要はなく、複数の部材で構成されていてもよい。
【産業上の利用可能性】
【００８０】
本願発明は、実際に椅子に適用できる。従って、産業上利用できる。
【符号の説明】
【００８１】
２  ベース
３  座
４  背もたれ
８  フロント部材
８ａ  サイドメンバー
８ｂ  アッパメンバー
８ｃ  ロアメンバー
９  背もたれのバックフレーム
１０  可撓性シート材（メッシュ材）
１２  押さえ部材
１５  縁部材
２７ａ  フロント部材を構成する下部材
２７ｂ  フロント部材を構成する上部材
４１  ロック装置を構成する軸受け部材
４３  ロックレバー
４４  ロック装置を構成するロック用ロッド
３３  ロック装置を構成するロック体
５６  緩衝材
【図１】
0006518073.tif 000002
【図２】
0006518073.tif 000003
【図３】
0006518073.tif 000004
【図４】
0006518073.tif 000005
【図５】
0006518073.tif 000006
【図６】
0006518073.tif 000007
【図７】
0006518073.tif 000008
【図８】
0006518073.tif 000009
【図９】
0006518073.tif 000010
【図１０】
0006518073.tif 000011
【図１１】
0006518073.tif 000012
【図１２】
0006518073.tif 000013
【図１３】
0006518073.tif 000014
【図１４】
0006518073.tif 000015
【図１５】
0006518073.tif 000016
【図１６】
0006518073.tif 000017
【図１７】
0006518073.tif 000018
【図１８】
0006518073.tif 000019